(57)【要約】【課題】無線タグネットワークにおいて未知な(物理的、論理的ネットワークに考慮されていない)移動機端末を無線タグネットワークに接続する。【解決手段】タグ読取機能を有する移動機端末の現在位置を取得し、取得した現在位置と無線タグから取得したタグ識別子とに基づいて、接続すべきネットワークである接続先ネットワークを判定する。判定した接続先ネットワークに接続する処理を行う。【効果】取得したタグ識別子と移動機端末の現在位置とに基づいて、適切なネットワークに接続することにより、無線タグリーダの物理的、論理的な構成自体が意味を持ちつつ情報が管理されている無線タグネットワークに、移動性の高い移動機端末を接続することができる。【選択図】      図１
2005328170.tif 000002
【特許請求の範囲】
【請求項１】
非接触タグからタグ識別子を取得するタグ読取移動機端末をネットワークに接続するためのタグネットワーク接続システムであって、前記タグ読取移動機端末の現在位置を取得する位置取得手段と、前記タグ読取移動機端末によって取得したタグ識別子と前記位置取得手段によって取得した前記タグ読取移動機端末の現在位置とに基づいて、接続すべきネットワークである接続先ネットワークを判定する判定手段と、前記判定手段によって判定した接続先ネットワークに接続する処理を行う接続処理手段とを含むことを特徴とするタグネットワーク接続システム。
【請求項２】
非接触タグからタグ識別子を取得するタグ読取移動機端末をネットワークに接続するためのタグネットワーク接続装置であって、前記タグ読取移動機端末の現在位置を取得する位置取得手段と、前記タグ読取手段により取得したタグ識別子と前記位置取得手段によって取得した前記タグ読取移動機端末の現在位置とに基づいて、接続すべきネットワークである接続先ネットワークを判定する判定手段と、前記判定手段によって判定した接続先ネットワークに接続する処理を行う接続処理手段とを含むことを特徴とするタグネットワーク接続装置。
【請求項３】
前記位置取得手段は、タグ読取移動機端末の端末識別子を用いて位置登録装置に問い合わせることにより、該タグ読取移動機端末の現在位置を取得することを特徴とする請求項２記載のタグネットワーク接続装置。
【請求項４】
前記接続先ネットワークにおいて用いられている規格を特定する規格特定手段と、送信すべき情報を、前記規格特定手段によって特定された規格に応じて加工する情報加工手段とを更に含み、
前記接続処理手段は、前記情報加工手段によって加工された情報を送信することによって前記接続先ネットワークに接続する処理を行うことを特徴とする請求項２又は３記載のタグネットワーク接続装置。
【請求項５】
非接触タグからタグ識別子を取得するタグ読取移動機端末をネットワークに接続するためのタグネットワーク接続方法であって、前記タグ読取移動機端末の現在位置を取得する位置取得ステップと、前記タグ読取移動機端末によって取得したタグ識別子と前記位置取得ステップにおいて取得した前記タグ読取移動機端末の現在位置とに基づいて、接続すべきネットワークである接続先ネットワークを判定する判定ステップと、前記判定ステップにおいて判定した接続先ネットワークに接続する処理を行う接続処理ステップとを含むことを特徴とするタグネットワーク接続方法。
【発明の詳細な説明】
【技術分野】
【０００１】
本発明はタグネットワーク接続システム、タグネットワーク接続装置、タグネットワーク接続方法に関し、特に無線タグネットワークにおいて未知とされている移動機端末を、既知の無線タグリーダによって構成されている無線タグネットワークに対して接続するタグネットワーク接続システム、タグネットワーク接続装置、タグネットワーク接続方法に関する。
【背景技術】
【０００２】
タグリーダによって取得した情報を用いてネットワークに接続する技術が特許文献１に記載されている。同文献では、ＵＲＬや電子メールアドレスなどのネットワーク接続先の情報を電波により発信するタグを有形物に取付けておき、その電波をタグリーダで受信し、インターネット端末を介してインターネットへ接続している。
【特許文献１】特開２００１−２７３２２６号公報
【発明の開示】
【発明が解決しようとする課題】
【０００３】
ところで、一般的な無線タグネットワークは、無線タグリーダの物理的、論理的な構成の構成自体に意味を持ちつつ情報が管理されている。このため、無線タグネットワークに対する、移動機端末の接続を想定しておらず、その接続を行うことができなかった。
すなわち、無線タグネットワークは、無線タグリーダの物理的、論理的な構成の構成自体に意味を持ちつつ情報が管理されていたため、移動性の高い移動機端末に関しては、ネットワーク上の物理的、論理的な構成を考慮してないため、接続を行うことができなかった。
本発明は上述した従来技術の問題点を解決するためになされたものであり、その目的は無線タグネットワークにおいて未知な（物理的、論理的ネットワークに考慮されていない）移動機端末を無線タグネットワークに接続することのできるタグネットワーク接続システム、タグネットワーク接続装置、タグネットワーク接続方法を提供することである。
【課題を解決するための手段】
【０００４】
本発明の請求項１によるタグネットワーク接続システムは、非接触タグからタグ識別子を取得するタグ読取移動機端末をネットワークに接続するためのタグネットワーク接続システムであって、前記タグ読取移動機端末の現在位置を取得する位置取得手段と、前記タグ読取移動機端末によって取得したタグ識別子と前記位置取得手段によって取得した前記タグ読取移動機端末の現在位置とに基づいて、接続すべきネットワークである接続先ネットワークを判定する判定手段と、前記判定手段によって判定した接続先ネットワークに接続する処理を行う接続処理手段とを含むことを特徴とする。取得したタグ識別子とタグ読取移動機端末の現在位置とに基づいて、適切なネットワークに接続することにより、無線タグリーダの物理的、論理的な構成自体が意味を持ちつつ情報が管理されている無線タグネットワークに、移動性の高い移動機端末を接続することができる。
【０００５】
本発明の請求項２によるタグネットワーク接続装置は、非接触タグからタグ識別子を取得するタグ読取移動機端末をネットワークに接続するためのタグネットワーク接続装置であって、前記タグ読取移動機端末の現在位置を取得する位置取得手段と、前記タグ読取手段により取得したタグ識別子と前記位置取得手段によって取得した前記タグ読取移動機端末の現在位置とに基づいて、接続すべきネットワークである接続先ネットワークを判定する判定手段と、前記判定手段によって判定した接続先ネットワークに接続する処理を行う接続処理手段とを含むことを特徴とする。取得したタグ識別子とタグ読取移動機端末の現在位置とに基づいて、適切なネットワークに接続することにより、無線タグリーダの物理的、論理的な構成自体が意味を持ちつつ情報が管理されている無線タグネットワークに、移動性の高い移動機端末を接続することができる。
【０００６】
本発明の請求項３によるタグネットワーク接続装置は、請求項２において、前記位置取得手段は、タグ読取移動機端末の端末識別子を用いて位置登録装置に問い合わせることにより、該タグ読取移動機端末の現在位置を取得することを特徴とする。タグ読取移動機端末の位置情報が登録されているＨＬＲ（Ｈｏｍｅ  Ｌｏｃａｔｉｏｎ  Ｒｅｇｉｓｔｅｒ）やＶＬＲ（Ｖｉｓｉｔｏｒ  Ｌｏｃａｔｉｏｎ  Ｒｅｇｉｓｔｅｒ）などに問い合わせることにより、端末の現在位置を容易に取得することができる。
【０００７】
本発明の請求項４によるタグネットワーク接続装置は、請求項２又は３において、前記接続先ネットワークにおいて用いられている規格を特定する規格特定手段と、送信すべき情報を、前記規格特定手段によって特定された規格に応じて加工する情報加工手段とを更に含み、
前記接続処理手段は、前記情報加工手段によって加工された情報を送信することによって前記接続先ネットワークに接続する処理を行うことを特徴とする。接続先ネットワークの規格に合わせて、情報を加工することにより、接続すべきネットワークに接続することができる。
【０００８】
本発明の請求項５によるタグネットワーク接続方法は、非接触タグからタグ識別子を取得するタグ読取移動機端末をネットワークに接続するためのタグネットワーク接続方法であって、前記タグ読取移動機端末の現在位置を取得する位置取得ステップと、前記タグ読取移動機端末によって取得したタグ識別子と前記位置取得ステップにおいて取得した前記タグ読取移動機端末の現在位置とに基づいて、接続すべきネットワークである接続先ネットワークを判定する判定ステップと、前記判定ステップにおいて判定した接続先ネットワークに接続する処理を行う接続処理ステップとを含むことを特徴とする。取得したタグ識別子とタグ読取移動機端末の現在位置とに基づいて、適切なネットワークに接続することにより、無線タグリーダの物理的、論理的な構成自体が意味を持ちつつ情報が管理されている無線タグネットワークに、移動性の高い移動機端末を接続することができる。
【発明の効果】
【０００９】
以上説明したように本発明は、取得したタグ識別子とタグ読取移動機端末の現在位置とに基づいて、適切なネットワークに接続することにより、無線タグリーダの物理的、論理的な構成自体が意味を持ちつつ情報が管理されている無線タグネットワークに、移動性の高い移動機端末を接続することができるという効果がある。
【発明を実施するための最良の形態】
【００１０】
以下、本発明の実施の形態を、図面を参照して説明する。なお、以下の説明において参照する各図では、他の図と同等部分は同一符号によって示されている。
（システム全体の構成）
図１は本発明の実施形態によるタグネットワーク接続システムの構成を示すブロック図である。同図に示されているように、タグネットワーク接続システムは、ネットワーク２０を介して、移動機端末１０を無線タグネットワーク４０？１又は４０？２に接続するためのルーティング処理を行う接続装置３０を含んで構成されている。本例では非接触タグとして、周知のＲＦＩＤ（Ｒａｄｉｏ  Ｆｒｅｑｕｅｎｃｙ  Ｉｄｅｎｔｉｆｉｃａｔｉｏｎ）方式の無線タグを用いる。ただし、この方式に限定されず、それ以外の方式の非接触タグを用いても良い。
【００１１】
移動機端末１０は、携帯電話機やＰＤＡ（Ｐｅｒｓｏｎａｌ  Ｄｉｇｉｔａｌ  Ａｓｓｉｓｔａｎｔ）など、通信を行うことができる端末である。ここでは、無線タグ１００からタグ識別子を取得するためのタグ読取機能を、移動機端末１０によって実現できるものとする。
ネットワーク２０は、移動機端末１０が通信を行うためのサービスエリアに対応する基地局２１や、基地局２１を制御する基地局制御装置２２などを含んで構成されている。
このネットワーク２０には、接続装置３０が接続されている。この接続装置３０は、移動機端末１０や他の装置との間で情報を授受することによって、移動機端末１０を無線タグネットワーク４０？１又は４０？２に接続する関門交換機としての機能を有している。
（タグネットワーク）
【００１２】
ところで、タグネットワークは複数種類構築されていることが多い。同じ企業が複数種類のタグネットワークを提供する場合もあるし、別々の企業それぞれが、独自にタグネットワークを提供する場合もある。例えば、落とし物検索サービスについては、東京のタグネットワークと大阪のタグネットワークとは別々のものとして構築される。このため、本システムではタグ識別子を取得した場合、その識別子それを取得した移動機端末の位置とに基づいて、接続先ネットワークを判定する。そして、同じタグ識別子を取得した場合でも、会社建物内や敷地内で取得したのであれば資産として管理されるべきであるし、屋外で取得したのであれば落とし物として処理されるべきである。屋外で取得した場合でも、鉄道の駅構内などで取得したのであれば駅構内の落とし物検索サービスに対応するネットワークに接続すべきであるし、市街地の道端などで取得したのであればその市街地内の落とし物検索サービスに対応するネットワークに接続すべきである。また、公の場とプライベート空間とでは接続先として判定されるタグネットワークは異なる。このように、適切な接続先は、タグ識別子を取得した位置によって異なるので、本システムでは、タグ識別子の他、移動機端末の位置情報に基づいて、接続先を判定しているのである。
【００１３】
さらに、サービスの内容に応じてタグネットワークが構築されるため、接続先ネットワークを適切に選択する必要がある。例えば、移動機端末と共に移動中に周辺の環境情報を収集したい場合、ショッピングモールなどの中を歩いている時に商品情報や特売情報を取得したい場合、公共交通機関の車内において移動機端末をマナーモードに自動設定したい場合などがある。本システムを利用すれば、タグを検出した場所（すなわちタグ識別子を取得した位置）に応じて、最も適切なタグネットワークに接続することができる。
【００１４】
なお、複数種類のタグネットワークは、インタフェースがそれぞれ異なるため、各タグネットワークに接続するには、そのタグネットワークに適合するように情報を加工する処理が必要となる。また、一般的にはタグリーダ１つに、適合する１つのアプリケーションソフトウェアを用いるが、本システムではタグネットワークの種類に対応した数のアプリケーションソフトウェアを用いる。
【００１５】
（移動機端末の構成）
図２は、図１中の移動機端末１０の機能構成を示すブロック図である。同図に示されているように、移動機端末１０は、無線タグから無線タグ識別子を読取る、無線タグ読取機能１０１と、無線タグ識別子と、移動機端末を一意に特定可能な文字列からなる移動機識別子を送信することを可能とする情報送信機能１０２とを含んで構成されている。これらの機能を実現するため、移動機端末１０は、例えば図３に示されているように構成する。すなわち、同図に示されているように移動機端末１０は、他の装置との間で通信を行うための通信ユニット１１と、自端末の各部を制御するためのＣＰＵ（Ｃｅｎｔｒａｌ  Ｐｒｏｃｅｓｓｉｎｇ  Ｕｎｉｔ）１２と、ＣＰＵ１２が参照する情報やその他の情報を記憶するためのメモリユニット１３と、各種の情報を入力するための入力インタフェース１４と、各部を電気的に接続するための内部バス１５とを含んで構成されている。通信ユニット１１の通信機能は、ＯＳＩ参照モデルのアプリケーション層を利用しても良い。その場合、周知のＨＴＴＰによって通信を行うこともできる。
【００１６】
入力インタフェース１４には、電話番号やＵＲＩを入力するためのキーパッド１６と、無線タグから無線タグ識別子を取得するための無線タグ読取部１７とが接続されている。無線タグ読取部１７は、移動機端末１０の筐体に内蔵されていても良いし、別体のユニットとして用意して図示せぬコネクタを介して移動機端末１０と接続される構成にしても良い。
【００１７】
なお、移動機端末が自端末の現在位置（緯度経度）に関する情報を取得する場合には、ＧＰＳ（Ｇｌｏｂａｌ  Ｐｏｓｉｔｉｏｎｉｎｇ  Ｓｙｓｔｅｍ）ユニット１８が入力インタフェース１４に接続されている必要がある。
キーパッド１６、無線タグ読取部１７、ＧＰＳユニット１８と、入力インタフェースとの間の通信は、シリアル通信、ＵＳＢ（Ｕｎｉｖｅｒｓａｌ  Ｓｅｒｉａｌ  Ｂｕｓ）接続による通信などを利用しても良い。
【００１８】
（無線タグネットワークの構成）
図４は、図１中の無線タグネットワーク４０？１の構成例及び無線タグネットワーク４０？１と接続装置３０との接続関係を示すブロック図である。
同図を参照すると、無線タグネットワーク４０？１は、無線タグ１００−１、１００−２からタグ識別子を取得するためのタグリーダ４０２−１、４０２−２と、これらタグリーダ４０２−１、４０２−２によって取得したタグ識別子を伝達するための伝達装置４０３−１、４０３−２、４０３−３と、タグ情報を格納するためのタグ情報格納装置４０４−１、４０４−２とを含んで構成されている。なお、図１中の無線タグネットワーク４０？２も無線タグネットワーク４０？１と同様に構成されているものとする。
【００１９】
（タグリーダの構成）
図４中のタグリーダ４０２−１、４０２−２は、固定的に設置されているタグリーダである。図５は、図４中のタグリーダ４０２−１の機能構成を示すブロック図である。同図に示されているように、タグリーダ４０２−１は、無線タグから無線タグ識別子を取得するための無線タグ読取機能４０２１と、取得した無線タグ識別子などを送信するための情報送信機能４０２２とを有している。なお、図４中のタグリーダ４０２−２もタグリーダ４０２−１と同様の機能構成を有しているものとする。
【００２０】
（伝達装置の構成）
図６は、図４中の伝達装置４０３−１の機能構成を示すブロック図である。同図に示されているように、伝達装置４０３−１は、接続すべき装置を選択する接続先選択機能４０３１と、接続先として選択した装置に情報を送信するための情報送信機能４０３２とを有している。なお、図４中の伝達装置４０３−２及び４０３−３も伝達装置４０３−１と同様の機能構成を有しているものとする。
【００２１】
（タグ情報格納装置の構成）
図７は、図４中のタグ情報格納装置４０４−１の機能構成を示すブロック図である。同図に示されているように、タグ情報格納装置４０４−１は、タグ情報を記憶するタグ情報記憶機能４０４１と、無線タグの無線タグ識別子、リーダを特定するリーダ識別子と、各タグリーダ４０２−１、４０２−２の位置情報を登録し管理するリーダ管理機能４０４２と、伝達装置４０３−１〜４０３−３からの情報を受信するための情報受信機能４０４３とを含んで構成されている。なお、図４中のタグ情報格納装置４０４−２もタグ情報格納装置４０４−１と同様の機能構成を有しているものとする。
【００２２】
このタグ情報格納装置４０４−１によって管理されているタグリーダ４０２−１、４０２−２は、既知のタグリーダであるということができるのに対し、無線タグネットワーク４０？１や４０？２に含まれていない、タグリーダである移動機端末１０は、未知のタグリーダであるということができる。本システムでは、未知のタグリーダによって取得された無線タグ識別子についても、タグ情報格納装置４０４−１又は４０４−２に送信し、これらの装置で管理でき、各種のサービスの提供を受けることができる。
【００２３】
（接続装置の構成）
図８は、図４中の接続装置３０の機能構成を示すブロック図である。同図に示されているように、接続装置３０は、取得した移動機識別子を基にその移動機の現在位置に関する位置情報を取得し、接続先の規格に合わせて無線タグ識別子並びに移動機識別子及び位置情報を加工する処理を行う情報付加機能３０１と、接続先の規格に合わせて情報の送受信を行う情報伝達機能３０２と、取得した無線タグ識別子及び位置情報を基に接続先及び接続先の規格を特定する接続先選択機能３０３と、移動機端末の現在の位置に関する位置情報を移動機識別子に対応付けて管理する移動機位置情報管理機能３０４とを含んで構成されている。
【００２４】
これらの機能を実現するため、接続装置３０は、例えば図９に示されているように構成する。すなわち、同図に示されているように接続装置３０は、他の装置との間で通信を行うための通信ユニット３１と、自端末の各部を制御するためのＣＰＵ３２と、ＣＰＵ３２が参照する情報やその他の情報を記憶するためのメモリユニット３３と、各種の情報を入力するための入力インタフェース３４と、各部を電気的に接続するための内部バス３５とを含んで構成されている。
【００２５】
メモリユニット３３には、移動機端末識別子とその端末の位置情報との対応関係を示す移動機端末位置情報管理テーブル３３１と、無線タグ識別子及び位置情報と接続先ネットワークとの対応関係を示す接続先判定テーブル３３２と、接続先ネットワークとその接続先ネットワークの無線タグシステム規格との対応関係を示す接続先規格情報テーブル３３３とが記憶保持されている。
接続先判定テーブル３３２で保持している、接続先に関しては、ある場所そしてある無線タグ識別子を無線タグネットワーク上で伝達する上で、同等または、より近い論理的伝達を可能する接続先を選択し、予め登録してあることとする。そして、複数の接続先がある場合、もっとも適切である推定される接続先に接続する。
【００２６】
（移動機端末位置情報管理テーブル）
図１０は移動機端末識別子とその端末の位置情報との対応関係を示す、移動機端末位置情報管理テーブル３３１の一構成例を示す図である。同図においては、「移動機識別子」と、それに対する、「位置情報（基地局の場合）」、「位置情報（ＧＰＳの場合）」との対応関係が示されている。「位置情報（基地局の場合）」は、基地局単位で位置情報を管理する場合に用いられる。この場合、移動機端末が現在存在しているサービスエリアに対応する基地局を識別するための基地局識別子が、位置情報となる。「位置情報（ＧＰＳの場合）」は、緯度経度で位置情報を管理する場合に用いられる。この場合、移動機端末の緯度経度が、位置情報となる。緯度経度の表示形式として、「度分秒．秒（ＤＤＤＭＭｓｓ．ｓｓ）」、「度分．分（ＤＤＤｍｍ．ｍｍｍｍ）」、「度．度（ｄｄｄｄ．ｄｄｄｄ）」、「度分秒（ｄｄｄ’ｍｍ’ｓｓ．ｓ’）」が知られているが、これらのいずれを用いても良い。
【００２７】
同図を参照すると、移動機識別子「ａｓｊｄｆｌａｌｓｌｋ」の位置情報は「基地局Ａ」及び「Ｎ３５．２６Ｅ１３９．３７」、移動機識別子「ｌａｋｌｄａｊｋｌｆｊｄｌｋｆ」の位置情報は「基地局Ｃ」及び「Ｎ３５．４１Ｅ１３９．４６」、移動機識別子「ｅｏｒｉｊｆｅｊｂｌｋｄｋｌ」の位置情報は「基地局Ｚ」及び「Ｎ３５．４２Ｅ１３９．４６」、である。
移動機端末識別子に基づいて、この移動機端末位置情報管理テーブル３３１を参照すれば、その移動機端末識別子に対応する移動機端末の現在位置に関する位置情報を取得することができる。
【００２８】
（接続先判定テーブル）
図１１は、無線タグ識別子及び位置情報と、接続先ネットワークを示す接続先情報との対応関係を示す、接続先判定テーブル３３２の一構成例を示す図である。同図においては、「無線タグ識別子」と、「位置情報（基地局の場合）」、「位置情報（ＧＰＳの場合）」と「接続先」とが示されている。「位置情報（基地局の場合）」は、図１０の場合と同様に、基地局単位で位置情報を管理する場合に用いられ、移動機端末が現在存在しているサービスエリアに対応する基地局を識別するための基地局識別子が、位置情報となる。「位置情報（ＧＰＳの場合）」は、図１０の場合と同様に、緯度経度で位置情報を管理する場合に用いられ、移動機端末の緯度経度が、位置情報となる。緯度経度の表示形式は上述した通りである。
【００２９】
同図を参照すると、無線タグ識別子が「０００００００００００１」で、位置情報が「基地局Ａ」又は「Ｎ３５．２６Ｅ１３９．３７」の接続先は「９４．２３．５３．３４」、無線タグ識別子が「００００００００００１１」で、位置情報が「基地局Ｃ」又は「Ｎ３５．４１Ｅ１３９．４６」の接続先は「６５．４５．２１５．６４」、無線タグ識別子が「００００００００００１２」で、位置情報が「基地局Ｚ」又は「Ｎ３５．４２Ｅ１３９．４６」の接続先は「８７．３５．１８５．６９」、である。
無線タグ識別子及び位置情報に基づいて、この接続先判定テーブル３３２を参照すれば、それら無線タグ識別子及び位置情報に対応する無線タグを採用しているタグネットワーク、すなわち接続先ネットワークに関する接続先情報を取得することができる。これにより、適切なタグネットワークを選択し、そのネットワークに接続することができる。
【００３０】
（接続先規格情報テーブル）
図１２は、接続先ネットワークに関する接続先情報とその接続先ネットワークの無線タグシステム規格との対応関係を示す、接続先規格情報テーブル３３３の一構成例を示す図である。同図においては、「接続先」と「無線タグシステム規格」とが示されている。
同図を参照すると、接続先「９４．２３．５３．３４」の無線タグシステム規格は「Ａ規格」、接続先「６５．４５．２１５．６４」の無線タグシステム規格は「Ｂ規格」、接続先「８７．３５．１８５．６９」の無線タグシステム規格は「Ｇ規格」、である。なお、接続装置が接続先に接続する一連の処理が具体的に把握可能な形で、各規格の内容が記載されているものとする。
接続先情報に基づいて、この接続先規格情報テーブル３３３を参照すれば、その接続先情報に対応する接続先ネットワークの無線タグシステム規格に関する情報を取得することができる。
【００３１】
（システム動作例）
位置情報の登録処理が行われることを前提とし、無線タグ識別子を取得した場合に適切なネットワークへの接続処理が行われる。
図１３は位置情報の登録処理を示すフローチャートである。同図（ａ）には移動機端末が現在存在しているサービスエリアに対応する基地局の基地局識別子を位置情報として用いる場合の位置情報登録処理が、同図（ｂ）には移動機端末の現在位置についての緯度経度に関する情報を位置情報として用いる場合の位置情報登録処理が、それぞれ示されている。
【００３２】
同図（ａ）において、移動機端末１０は、自端末の移動機端末識別子を送信する（ステップＳ１０１）。送信された移動機端末識別子は、ネットワーク２０を介して接続装置３０が受信する（ステップＳ１０２）。接続装置３０は、受信した移動機端末識別子を、基地局識別子と対応付けて移動機端末位置情報管理テーブル３３１に登録する（ステップＳ１０３）。以上の処理は定期的に繰返し行われる。
【００３３】
一方、同図（ｂ）において、移動機端末１０は、ＧＰＳによって自端末の現在位置に関する位置情報を取得する（ステップＳ１１１）。次に、移動機端末１０は、取得した位置情報と自端末の移動機端末識別子とを送信する（ステップＳ１１２）。送信された位置情報及び移動機端末識別子は、ネットワーク２０を介して接続装置３０が受信する（ステップＳ１１３）。接続装置３０は、受信した位置情報及び移動機端末識別子を、受信した位置情報と対応付けて移動機端末位置情報管理テーブル３３１に登録する（ステップＳ１１４）。以上の処理は定期的に繰返し行われる。
【００３４】
図１４は無線タグ識別子を取得した場合の接続処理例を示すフローチャートである。同図に示されているように、まず、移動機端末１０において、無線タグ１００の無線タグ識別子を取得する（ステップＳ１）。例えば、取得した無線タグ識別子を「０３０３２ｆｒ２３」とする。
次に、移動機端末１０は、取得した無線タグ識別子と自端末を識別するための移動機識別子とを、接続装置３０に対して送信する（ステップＳ２）。例えば、無線タグ識別子を「０３０３２ｆｒ２３」、移動機識別子を「ａｓｊｄｆｌａｌｓｌｋ」とする。
【００３５】
接続装置３０においては、移動機端末１０から受信した移動機識別子を基に、移動機端末１０の位置情報を取得する（ステップＳ３）。例えば、移動機識別子「ａｓｊｄｆｌａｌｓｌｋ」に基づいて、ＨＬＲやＶＬＲを検索すれば、移動機端末の現在存在するエリアを特定できる。このエリアに対応する基地局名（例えば「基地局Ａ」）を、その移動機端末の位置情報とする。ＧＰＳによって取得した移動機端末の緯度経度（例えば「Ｎ３５．２６Ｅ１３９．３７」）を、その移動機端末の位置情報としても良い。
【００３６】
さらに、接続装置３０においては、無線タグ識別子、及び、位置情報を基に、接続先ネットワーク、及び、接続先ネットワークの規格を特定する（ステップＳ４）。例えば、「０３０３２ｆｒ２３」、位置情報「Ｎ３５．２６Ｅ１３９．３７」、に基づいて、転送先ネットワークを「９４．３４．１２４．４３」、接続先ネットワークの規格を「規格Ａ」として特定する。規格は、識別子の体系によって、特定することができる。例えば、ＥＰＣ−ＧＬＯＢＡＬ、ユビキタスＩＤ、ＩＳＯ準拠（例えば、周知のＩＳＯ１５６９３）などを特定することができる。
【００３７】
次に、接続装置３０は、接続先ネットワークの規格に合わせて、無線タグ識別子、移動機識別子及び位置情報を加工する（ステップＳ５）。そして、接続装置３０は、接続先ネットワークに、加工された無線タグ識別子、移動機識別子及び位置情報を送信し、無線タグネットワークに接続する（ステップＳ６）。以上のような処理の結果、タグ読取時刻、無線タグリーダの位置情報、無線タグ識別子から分析した情報などが付加されて送信されることになる。なお、接続の際に用いるプロトコルには、例えば、周知のＳＯＡＰ（Ｓｉｍｐｌｅ  Ｏｂｊｅｃｔ  Ａｃｃｅｓｓ  Ｐｒｏｔｏｃｏｌ）や、ＨＴＴＰ（Ｈｙｐｅｒ  Ｔｅｘｔ  Ｍａｒｋｕｐ  Ｌａｎｇｕａｇｅ）を用いることができる。
【００３８】
さらに、本システムの各部の動作を示すシーケンス図である図１５を参照して説明する。同図（ａ）は、移動機端末が現在存在しているサービスエリアに対応する基地局の識別子を位置情報として利用する場合の動作を示すシーケンス図である。同図において、上述したように移動機端末１０から接続装置３０に移動機端末識別子を定期的に登録する（ステップＳ２００）。
【００３９】
移動機端末１０によって無線タグ識別子が取得されると（ステップＳ２０１）、移動機端末１０はその無線タグ識別子を移動機識別子と共に接続装置３０に送信する（ステップＳ２０２）。無線タグ識別子及び移動機識別子を受信した接続装置３０は、移動機識別子に基づいて移動機端末の位置情報を取得する（ステップＳ２０３）。また、接続装置３０は、無線タグ識別子に基づいて接続先ネットワーク及び接続先ネットワークの規格に関する情報を取得する（ステップＳ２０４）。さらに、接続装置３０は、接続先ネットワークの規格に合わせて、無線タグ識別子、移動機識別子及び位置情報を加工する（ステップＳ２０５）。
【００４０】
接続装置３０は、加工したこれらの情報を伝達装置に送信する（ステップＳ２０６）。加工された情報を受信した伝達装置は、それらの情報をタグ情報格納装置に送信する（ステップＳ２０７）。以上の処理により、無線タグ識別子を取得した場合に、適切なタグネットワークに接続することができる。
一方、同図（ｂ）は、移動機端末がＧＰＳを利用して自端末の緯度経度を位置情報として取得し、これを接続装置に送信して利用する場合の動作を示すシーケンス図である。同図において、上述したように移動機端末１０はＧＰＳにより、自端末の位置情報を定期的に取得する（ステップＳ２０３´）。そして、移動機端末１０から接続装置３０に移動機端末識別子及びＧＰＳで取得した位置情報を定期的に登録する（ステップＳ２００）。
【００４１】
移動機端末１０によって無線タグ識別子が取得されると（ステップＳ２０１）、移動機端末１０はその無線タグ識別子を移動機識別子と共に接続装置３０に送信する（ステップＳ２０２）。無線タグ識別子及び移動機識別子を受信した接続装置３０は、移動機識別子に基づいて移動機端末の位置情報を取得する（ステップＳ２０３）。また、接続装置３０は、無線タグ識別子に基づいて接続先ネットワーク及び接続先ネットワークの規格に関する情報を取得する（ステップＳ２０４）。さらに、接続装置３０は、接続先ネットワークの規格に合わせて、無線タグ識別子、移動機識別子及び位置情報を加工する（ステップＳ２０５）。
【００４２】
接続装置３０は、加工したこれらの情報を伝達装置に送信する（ステップＳ２０６）。加工された情報を受信した伝達装置は、それらの情報をタグ情報格納装置に送信する（ステップＳ２０７）。以上の処理により、無線タグ識別子を取得した場合に、適切なタグネットワークに接続することができる。
【００４３】
（変形例）
（１）上記の例では接続装置内において、移動機位置情報を管理しているが、接続装置とは別に移動機位置情報を管理する位置登録装置（例えば、ＨＬＲやＶＬＲ）を設けておき、この位置登録装置から接続装置が移動機位置情報を取得する構成にしても良い。そのような構成を採用した場合の動作について、図１６（ａ）を参照して説明する。同図（ａ）において、移動機端末１０から位置登録装置に移動機識別子を送信し、位置情報を定期的に登録する（ステップＳ２００´）。
【００４４】
移動機端末１０によって無線タグ識別子が取得されると（ステップＳ２０１）、移動機端末１０はその無線タグ識別子を移動機識別子と共に接続装置３０に送信する（ステップＳ２０２）。無線タグ識別子及び移動機識別子を受信した接続装置３０は、移動機識別子に基づいて位置登録装置に移動機端末の位置情報について問い合わせ（ステップＳ２０３ａ）、その位置情報を取得する（ステップＳ２０３ｂ）。
【００４５】
また、接続装置３０は、無線タグ識別子に基づいて接続先ネットワーク及び接続先ネットワークの規格に関する情報を取得する（ステップＳ２０４）。さらに、接続装置３０は、接続先ネットワークの規格に合わせて、無線タグ識別子、移動機識別子及び位置情報を加工する（ステップＳ２０５）。
接続装置３０は、加工したこれらの情報を伝達装置に送信する（ステップＳ２０６）。加工された情報を受信した伝達装置は、それらの情報をタグ情報格納装置に送信する（ステップＳ２０７）。以上の処理により、無線タグ識別子を取得した場合に、適切なタグネットワークに接続することができる。
【００４６】
（２）同図（ａ）においては、接続装置が位置登録装置から移動機位置情報を取得しているが、移動機自身が位置登録装置から移動機位置情報を取得する構成にしても良い。そのような構成を採用した場合の動作について、図１６（ｂ）を参照して説明する。同図（ｂ）において、移動機端末１０から位置登録装置に移動機識別子を送信し、位置情報を定期的に登録する（ステップＳ２００´）。
移動機端末１０によって無線タグ識別子が取得されると（ステップＳ２０１）、移動機端末１０は移動機識別子に基づいて位置登録装置に自端末の位置情報について問い合わせ（ステップＳ２０３ａ）、その位置情報を取得する（ステップＳ２０３ｂ）。
【００４７】
また、移動機端末１０は取得した無線タグ識別子を移動機識別子及び位置情報と共に接続装置３０に送信する（ステップＳ２０２）。これらの情報を受信した接続装置３０は、無線タグ識別子に基づいて接続先ネットワーク及び接続先ネットワークの規格に関する情報を取得する（ステップＳ２０４）。さらに、接続装置３０は、接続先ネットワークの規格に合わせて、無線タグ識別子、移動機識別子及び位置情報を加工する（ステップＳ２０５）。
接続装置３０は、加工したこれらの情報を伝達装置に送信する（ステップＳ２０６）。加工された情報を受信した伝達装置は、それらの情報をタグ情報格納装置に送信する（ステップＳ２０７）。以上の処理により、無線タグ識別子を取得した場合に、適切なタグネットワークに接続することができる。
【００４８】
（タグネットワーク接続方法）
上述したタグネットワーク接続システムにおいては、以下のようなタグネットワーク接続方法が実現されている。すなわち、非接触タグからタグ識別子を取得するタグ読取移動機端末をネットワークに接続するためのタグネットワーク接続方法であり、上記タグ読取移動機端末の現在位置を取得する位置取得ステップと、上記タグ読取移動機端末によって取得したタグ識別子と上記位置取得ステップにおいて取得した上記タグ読取移動機端末の現在位置とに基づいて、接続すべきネットワークである接続先ネットワークを判定する判定ステップと、上記判定ステップにおいて判定した接続先ネットワークに接続する処理を行う接続処理ステップとを含むタグネットワーク接続方法が実現されている。
このように、取得したタグ識別子とタグ読取移動機端末の現在位置とに基づいて、適切なネットワークに接続することにより、無線タグリーダの物理的、論理的な構成自体が意味を持ちつつ情報が管理されている無線タグネットワークに、移動性の高い移動機端末を接続することができる。
【００４９】
（まとめ）
本発明によれば、無線タグリーダの物理的、論理的な構成が意味を持ちつつ情報が管理されている無線タグネットワークに対して、移動性の高い移動機端末に関しての接続を可能とし、移動機を扱うユーザも無線タグネットワークを使えることが可能となり利用者を増大することができる。また、固定的に設置されている無線タグリーダのみでカバーできる無線タグ読取範囲に対し、移動性の高い移動機端末を用いることによってその数倍の読取範囲をカバーできるようになる。
【産業上の利用可能性】
【００５０】
本発明は移動機端末によって無線タグ識別子を取得した場合、無線タグネットワークに対する接続処理を行う際に利用することができる。
【図面の簡単な説明】
【００５１】
【図１】本発明の実施の形態に係るタグネットワーク接続システムの構成を示すブロック図である。
【図２】図１中の移動機端末の機能構成を示すブロック図である。
【図３】移動機端末の構成例を示すブロック図である。
【図４】本発明の実施の形態に係るタグネットワーク接続装置と接続先ネットワークの構成を示すブロック図である。
【図５】図４中のタグリーダの機能構成を示すブロック図である。
【図６】図４中の伝達装置の機能構成を示すブロック図である。
【図７】図４中のタグ情報格納装置の機能構成を示すブロック図である。
【図８】図４中の接続装置の機能構成を示すブロック図である。
【図９】接続装置の構成例を示すブロック図である。
【図１０】移動機端末識別子とその端末の位置情報との対応関係を示す、移動機端末位置情報管理テーブルの一構成例を示す図である。
【図１１】無線タグ識別子及び位置情報と、接続先ネットワークを示す接続先情報との対応関係を示す、接続先判定テーブルの一構成例を示す図である。
【図１２】接続先ネットワークに関する接続先情報とその接続先ネットワークの無線タグシステム規格との対応関係を示す、接続先規格情報テーブルの一構成例を示す図である。
【図１３】位置情報の登録処理を示すフローチャートであり、（ａ）は移動機端末が現在存在しているサービスエリアに対応する基地局の基地局識別子を位置情報として用いる場合の位置情報登録処理を示す図、同図（ｂ）は移動機端末の現在位置についての緯度経度に関する情報を位置情報として用いる場合の位置情報登録処理を示す図である。
【図１４】無線タグ識別子を取得した場合の接続処理例を示すフローチャートである。
【図１５】本システムの各部の動作を示すシーケンス図であり、（ａ）は移動機端末が現在存在しているサービスエリアに対応する基地局の識別子を位置情報として利用する場合の動作を示すシーケンス図、（ｂ）は移動機端末がＧＰＳを利用して自端末の緯度経度を位置情報として取得し、これを接続装置に送信して利用する場合の動作を示すシーケンス図である。
【図１６】本システムの変形例の動作を示すシーケンス図であり、（ａ）は接続装置が位置登録装置から移動機位置情報を取得する場合の動作を示すシーケンス図、（ｂ）は移動機端末が位置登録装置から移動機位置情報を取得する場合の動作を示すシーケンス図である。
【符号の説明】
【００５２】
１  タグリーダ
１０  移動機端末
１１、３１  通信ユニット
１２、３２  ＣＰＵ
１３、３３  メモリユニット
１４、３４  入力インタフェース
１５、３５  内部バス
１６  キーパッド
１７  無線タグ読取部
１８  ＧＰＳユニット
２０  ネットワーク
２１  基地局
２２  基地局制御装置
３０  接続装置
４０−１、４０−２  無線タグネットワーク
１００、１００−１、１００−２  無線タグ
１０１  無線タグ読取機能
１０２  情報送信機能
３０１  情報付加機能
３０２  情報伝達機能
３０３  接続先選択機能
３０４  移動機位置情報管理機能
３３１  移動機端末位置情報管理テーブル
３３２  接続先判定テーブル
３３３  接続先規格情報テーブル
４０２−１、４０２−２  タグリーダ
４０３−１〜４０３−３  伝達装置
４０４−１、４０４−２  タグ情報格納装置
４０２１  無線タグ読取機能
４０２２  情報送信機能
４０３１  接続先選択機能
４０３２  情報送信機能
４０４１  タグ情報記憶機能
４０４２  リーダ管理機能
４０４３  情報受信機能
【図１】
2005328170.tif 000003
【図２】
2005328170.tif 000004
【図３】
2005328170.tif 000005
【図４】
2005328170.tif 000006
【図５】
2005328170.tif 000007
【図６】
2005328170.tif 000008
【図７】
2005328170.tif 000009
【図８】
2005328170.tif 000010
【図９】
2005328170.tif 000011
【図１０】
2005328170.tif 000012
【図１１】
2005328170.tif 000013
【図１２】
2005328170.tif 000014
【図１３】
2005328170.tif 000015
【図１４】
2005328170.tif 000016
【図１５】
2005328170.tif 000017
【図１６】
2005328170.tif 000018